(57)【特許請求の範囲】
【請求項１】
患者の識別情報が設定されると、前記識別情報が格納される患者基本情報と、前記識別情報と関連付けられる医療サービスについての第１の請求情報と、前記識別情報と関連付けられる介護サービスについての第２の請求情報とを記憶する記憶部から、設定される識別情報と関連付けられる患者基本情報、第１の請求情報及び第２の請求情報を取得する通信制御手段と、
前記通信制御手段により取得された前記第１の請求情報に基づき、医療保険の適用対象となる医療サービスについての第１の請求書を作成し、前記通信制御手段により取得された前記第２の請求情報に基づき、介護保険の適用対象となる介護サービスについての第２の請求書を作成し、前記第１及び第２の請求書の合計額が少なくとも記載されるサマリを作成し、前記作成した第１及び第２の請求書、並びにサマリを印刷する請求書発行手段と
を具備し、
前記請求書発行手段は、前記通信制御手段により取得された前記患者基本情報に含まれる前記患者の氏名、前記第１及び第２の請求書の宛先、並びに前記第１及び第２の請求書の宛名を参照して、前記サマリに前記患者の氏名、前記第１及び第２の請求書の宛先、並びに前記第１及び第２の請求書の宛名を印字する請求書発行装置。
【請求項２】
前記請求書発行手段は、前記サマリ、並びに、第１及び第２の請求書を、それぞれの印刷面が前記サマリ、第１の請求書、第２の請求書の順で印刷されるように制御する請求項１記載の請求書発行装置。
【請求項３】
前記通信制御手段により取得される患者基本情報には、前記第１及び第２の請求書、並びに、前記サマリを作成する患者の順序に関する情報が含まれ、
前記請求書発行手段は、前記患者の順序に関する情報に基づき、前記第１及び第２の請求書、並びに、前記サマリを作成する患者を設定する請求項１又は２に記載の請求書発行装置。
【請求項４】
患者の識別情報が設定されると、前記識別情報が格納される患者基本情報と、前記識別情報と関連付けられる医療サービスについての第１の請求情報と、前記識別情報と関連付けられる介護サービスについての第２の請求情報とを記憶する記憶部から、設定される識別情報と関連付けられる患者基本情報、第１の請求情報及び第２の請求情報を取得する取得処理と、
前記取得された前記第１の請求情報に基づき、医療保険の適用対象となる医療サービスについての第１の請求書を作成し、前記取得された前記第２の請求情報に基づき、介護保険の適用対象となる介護サービスについての第２の請求書を作成し、前記第１及び第２の請求書の合計額が少なくとも記載されるサマリを作成する作成処理と、
前記作成した第１及び第２の請求書、並びにサマリを印刷する印刷処理と
を請求書発行装置に搭載されるプロセッサに実施させる請求書発行プログラムであって、
前記印刷処理は、前記取得処理により取得された前記患者基本情報に含まれる前記患者の氏名、前記第１及び第２の請求書の宛先、並びに前記第１及び第２の請求書の宛名を参照して、前記サマリに前記患者の氏名、前記第１及び第２の請求書の宛先、並びに前記第１及び第２の請求書の宛名を印字する、請求書発行プログラム。
【請求項５】
前記印刷処理では、前記サマリ、並びに、第１及び第２の請求書は、それぞれの印刷面が前記サマリ、第１の請求書、第２の請求書の順となるように印刷される請求項４記載の請求書発行プログラム。
【請求項６】
前記取得処理により取得される患者基本情報には、前記第１及び第２の請求書、並びに、前記サマリを作成する患者の順序に関する情報が含まれ、
前記作成処理では、前記患者の順序に関する情報に基づき、前記第１及び第２の請求書、並びに、前記サマリを作成する患者が設定される請求項４又は５に記載の請求書発行プログラム。
【発明の詳細な説明】
【技術分野】
【０００１】
本発明の実施形態は、医療保険の請求書及び介護保険の請求書を発行する請求書発行装置及び請求書発行プログラムに関する。
【背景技術】
【０００２】
近年、医療業務に関連する情報を電子化して管理する医事会計／電子カルテシステムが提案されている。医事会計／電子カルテシステムで取り扱われる情報には、病院及びクリニック等の医療施設で実施された医療サービスに関する情報、及び、介護施設等で実施された介護サービスに関する情報等が含まれる。この種の医事会計／電子カルテシステムを用いて、医療保険の適用対象となる医療サービスについての第１の請求書と、介護保険の適用対象となる介護サービスについての第２の請求書とを発行する場合、例えば、以下のような処理が実施される。
【０００３】
まず、担当者は、医療サービスに関する情報に基づき、対象となる複数の患者に対し、対象となる月についての医療サービスに関する第１の請求書を印刷する。続いて担当者は、介護サービスに関する情報に基づき、対象となる複数の患者に対し、対象となる月についての介護サービスに関する第２の請求書を、第１の請求書とは別に印刷する。担当者は、印刷した第１及び第２の請求書を患者毎に仕分ける。担当者は、患者毎に仕分けた第１及び第２の請求書から、患者毎の請求額を算出する。担当者は、封筒に請求額の請求先を表す宛先を記載する。そして、担当者は、患者毎に仕分けた第１及び第２の請求書と、患者毎の請求額が記載された書面とを、宛先が記載された封筒に入れ、封をする。
【０００４】
このように、第１及び第２の請求書を患者毎にまとめる場合、第１及び第２の請求書を別々に印刷した後に、印刷した第１及び第２の請求書を患者毎に仕分けるため、実際の作業及び確認作業に大きな負担がかかっていた。
【先行技術文献】
【特許文献】
【０００５】
【特許文献１】特開２０１０−１０２５５１号公報
【発明の概要】
【発明が解決しようとする課題】
【０００６】
以上のように、医事会計／電子カルテシステムにおいて医療サービスについての請求書と、介護サービスについての請求書とを患者毎にまとめる場合、担当者に大きな負担がかかるという問題がある。
【０００７】
そこで目的は、医事会計／電子カルテシステムにおいて、担当者の負担を軽減しつつ、医療サービスについての請求書と、介護サービスについての請求書とを患者毎にまとめることが可能な請求書発行装置及び請求書発行プログラムを提供することにある。
【課題を解決するための手段】
【０００８】
実施形態によれば、請求書発行装置は、通信制御手段及び請求書発行手段を具備する。通信制御手段は、患者の識別情報が格納される患者基本情報と、前記識別情報と関連付けられる医療サービスについての第１の請求情報と、前記識別情報と関連付けられる介護サービスについての第２の請求情報とを記憶する記憶部から、設定される識別情報と関連付けられる患者基本情報、第１の請求情報及び第２の請求情報を取得する。請求書発行手段は、前記通信制御手段により取得された前記第１の請求情報に基づき、医療サービスについての第１の請求書を作成し、前記通信制御手段により取得された前記第２の請求情報に基づき、介護サービスについての第２の請求書を作成し、前記作成した第１及び第２の請求書を印刷する。
【図面の簡単な説明】
【０００９】
【図１】図１は、本実施形態に係る請求書発行装置を含む医事会計／電子カルテシステムの構成を示す図である。
【図２】図２は、図１に示される請求書発行装置及びサーバの構成を示す図である。
【図３】図３は、図１に示される表示回路の表示画面を示す図である。
【図４】図４は、図１に示される表示回路の表示画面のその他の例を示す図である。
【図５】図５は、図２に示される請求書発行機能のアルゴリズムを説明するフローチャートを示す図である。
【図６】図６は、患者基本情報に記憶される請求書の宛名及び請求書の宛先を示す図である。
【図７】図７は、請求書発行機能により作成されるサマリを示す図である。
【図８】図８は、図２に示される請求書発行装置により発行される第１及び第２の請求書並びにサマリを示す図である。
【発明を実施するための形態】
【００１０】
以下、実施の形態について、図面を参照して説明する。
【００１１】
図１は、本実施形態に係る請求書発行装置１０を含む医事会計／電子カルテシステム１の構成例を示す図である。医事会計／電子カルテシステム１には、例えば、ＨＩＳ（Hospital Information System）及び医事会計システム等が含まれる。図１に示される医事会計／電子カルテシステム１は、請求書発行装置１０、サーバ２０、クライアント端末３０，４０を備える。
【００１２】
図１に示される医事会計／電子カルテシステム１では、請求書発行装置１０、サーバ２０及びクライアント端末３０は、病院に配置される。また、クライアント端末４０は、通所サービス提供業者等の介護施設に配置される。請求書発行装置１０、サーバ２０、クライアント端末３０，４０は、ＬＡＮ（Local Area Network）に接続される。なお、ＬＡＮへの接続は、有線接続及び無線接続を問わない。また、セキュリティが確保されるのであれば、接続される回線はＬＡＮに限定されない。インターネット等、公衆の通信回線に接続するようにしても構わない。
【００１３】
図２は、図１に示される請求書発行装置１０及びサーバ２０の構成例を示す図である。
【００１４】
サーバ２０は、医事会計／電子カルテシステム１内の情報を電子的に管理する。サーバ２０は、請求書発行装置１０からの要求に応じ、管理している情報を請求書発行装置１０へ提供する。サーバ２０には、例えば、患者基本情報２１、医療サービス請求情報２２、介護サービス請求情報２３及びパラメータ情報２４等が記憶される。
【００１５】
患者基本情報２１には、患者ＩＤと、患者ＩＤに関連付けられた、患者名、性別、年齢、請求書の宛名及び請求書の宛先等とが含まれる。
【００１６】
医療サービス請求情報２２は、病院、介護施設、又は、これら両施設にて利用された医療サービスの請求に関する情報である。医療サービスについての明細は、医療サービスを利用した年月日及び医療サービスを利用した患者の患者ＩＤと関連付けられている。医療サービス請求情報２２は、病院のクライアント端末３０と、介護施設のクライアント端末４０とから入力される。
【００１７】
介護サービス請求情報２３は、病院、介護施設、又は、これら両施設にて利用された介護サービスの請求に関する情報である。介護サービスについての明細は、介護サービスを利用した年月日及び介護サービスを利用した患者の患者ＩＤと関連付けられている。介護サービス請求情報２３は、病院のクライアント端末３０と、介護施設のクライアント端末４０とから入力される。
【００１８】
パラメータ情報２４は、請求書発行装置１０に、請求書を発行する際の入力画面を表示させるための情報を含む。
【００１９】
請求書発行装置１０は、信号処理回路１１、通信インタフェース回路１２、入力インタフェース回路１３、出力インタフェース回路１４及び記憶回路１５を備える。
【００２０】
通信インタフェース回路１２は、例えば、通信ポート等により実現される。通信インタフェース回路１２は、ＬＡＮとの間の通信のインタフェースとなる。通信インタフェース回路１２は、信号処理回路１１から出力される信号を予め設定した方式に則って変換し、変換した信号をＬＡＮへ出力する。また、通信インタフェース回路１２は、ＬＡＮを介して信号を受信し、受信した信号を予め設定した方式に則って変換する。通信インタフェース回路１２は、変換した信号を信号処理回路１１へ出力する。
【００２１】
入力インタフェース回路１３は、例えば、マウス、キーボード、及び、操作面へ触れることで指示が入力されるタッチパッド等により実現される。入力インタフェース回路１３は、信号処理回路１１に接続され、操作者から入力される操作指示を電気信号へ変換し、電気信号を信号処理回路１１へ出力する。なお、本明細書において入力インタフェース回路１３はマウス及びキーボード等の物理的な操作部品を備えるものだけに限られない。例えば、請求書発行装置１０とは別体に設けられた外部の入力機器から入力される操作指示に対応する電気信号を受け取り、この電気信号を信号処理回路１１へ出力する電気信号の処理回路も入力インタフェース回路１３の例に含まれる。
【００２２】
出力インタフェース回路１４は、例えば、ＨＤＭＩ（登録商標）端子、ＤＶＩ端子及びＵＳＢ端子等の接続ポートにより実現される。出力インタフェース回路１４は、例えば、表示回路１６及びプリンタ１７等と接続される。出力インタフェース回路１４は、信号処理回路１１から出力される信号を、接続される表示回路１６及びプリンタ１７へ出力する。
【００２３】
信号処理回路１１は、処理機能を実現するための各プログラムを記憶回路１５から読み出して実行するプロセッサである。信号処理回路１１は、記憶回路１５から読み出したプログラムを実行することで、図２に示される各種機能を実現する。すなわち、信号処理回路１１は、表示制御機能１１１、通信制御機能１１２及び請求書発行機能１１３を備える。なお、図２では、単一の信号処理回路１１によって表示制御機能１１１、通信制御機能１１２及び請求書発行機能１１３が実現される場合を説明するが、これに限定されない。例えば、複数の独立したプロセッサを組み合わせて信号処理回路を構成し、各プロセッサがプログラムを実行することにより表示制御機能１１１、通信制御機能１１２及び請求書発行機能１１３を実現しても構わない。
【００２４】
表示制御機能１１１は、表示回路１６における表示を制御するための機能である。具体的には、表示制御機能１１１を実施すると、信号処理回路１１は、サーバ２０からパラメータ情報２４を読み出し、読み出したパラメータ情報２４に従った表示内容を表示回路１６に表示させる。図３及び図４は、表示回路１６の表示画面の例であり、請求書の発行を指示する初期画面である。
【００２５】
図３は、「発行区分」が「０」、すなわち、全ての患者について請求書を発行する場合の画面を表す。図４は、「発行区分」が「１」、すなわち、患者を指定して請求書を発行する場合の画面を表す。図４に示されるように、「発行区分」が「１」である場合、「発行区分」の下段に「患者ＩＤ」を入力する項目が表示される。
【００２６】
図３及び図４に示される表示画面において、「再計算出力」は、請求書の再計算を指示する項目である。「再計算出力」にチェックが入力されている場合、後述する請求書発行機能１１３により、再計算が要求される請求書が発行される。なお、再計算が要求される場合には、例えば、請求額に誤りがある場合及び請求書の送付先に誤りがある場合等がある。
【００２７】
「既発行出力」は、既に請求書を発行した患者の抽出を指示する項目である。「既発行出力」にチェックが入力されている場合、後述する請求書発行機能１１３により、既に請求書を発行した患者の患者ＩＤと関連付けられた情報がサーバ２０から読み出される。
【００２８】
「出力対象」は、出力を要求される対象を選択する項目である。後述する請求書発行機能１１３では、「サマリ」、「介護」及び「医保」のうち、チェックが入力されている項目に対応する書面が発行される。図３及び図４は、「サマリ」、「介護」及び「医保」の全てが書面を発行する対象として選択されている場合を表している。なお、「再計算出力」及び「既発行出力」にチェックが入っていない場合、「サマリ」、「介護」及び「医保」が選択されることをデフォルトとすることも可能である。また、「宛名ＣＳＶ」にチェックが入っている場合、請求書の宛名及び請求書の宛先等の情報が含まれるＣＳＶファイルが出力される。
【００２９】
「出力装置」は、プリンタを選択する項目である。図３及び図４では、記載していないが、実際にシステムを運用する際には、プリンタの識別番号、プリンタの製品名、又は、ＵＲＬ等が表示されることになる。
【００３０】
「ファイル名」は、宛名をＣＳＶ（Comma Separated Value）形式で出力すると指示した際の、ファイル名を入力する項目である。
【００３１】
操作者は、入力画面に示される項目に対する選択が完了すると、「完了」を押し、請求書を発行する処理を開始させる。
【００３２】
通信制御機能１１２は、ＬＡＮに接続される他の機器と通信を確立させるための機能である。具体的には、通信制御機能１１２を実施すると、信号処理回路１１は、予め設定された方式に則り、要求される通信接続先の機器との通信接続を確立させる。また、信号処理回路１１は、通信接続が確立された機器との間で情報を送受信するように通信インタフェース回路１２を制御する。
【００３３】
請求書発行機能１１３は、請求書を発行するための機能である。請求書発行機能１１３を実施した際の信号処理回路１１の具体的な処理を以下に説明する。
【００３４】
信号処理回路１１は、指定される月において、所定の患者ＩＤと関連付けられた医療サービスの請求に関する情報を、サーバ２０で管理される医療サービス請求情報２２から読み出す。信号処理回路１１は、読み出した医療サービスの請求に関する情報に含まれる文字及び値を、予め設定されたフォーマットの該当箇所へ書き込むことで、医療保険の適用対象となる医療サービスについての請求書を作成する。以下では、医療サービスについての請求書を第１の請求書と称する。
【００３５】
信号処理回路１１は、指定される月において、所定の患者ＩＤと関連付けられた介護サービスの請求に関する情報を、サーバ２０で管理される介護サービス請求情報２３から読み出す。信号処理回路１１は、読み出した介護サービスの請求に関する情報に含まれる文字及び値を、予め設定されたフォーマットの該当箇所へ書き込むことで、介護保険の適用対象となる介護サービスについての請求書を作成する。以下では、介護サービスについての請求書を第２の請求書と称する。
【００３６】
信号処理回路１１は、所定の患者ＩＤと関連付けられた、患者名、請求書の宛名及び請求書の宛先を、サーバ２０で管理される患者基本情報２１から読み出す。信号処理回路１１は、読み出した患者名、請求書の宛名及び請求書の宛先と、第１及び第２の請求書に記載される請求額と、第１及び第２の請求書に記載される請求額から求められる合計請求額とを、予め設定されたフォーマットの該当箇所へ書き込むことで、サマリを作成する。サマリは、医療保険の適用対象となる医療サービスの請求額、介護保険の適用対象となる介護サービスの請求額、及び、これらの合計額と、請求書の宛名及び宛先とが記載された書面である。
【００３７】
信号処理回路１１は、第１及び第２の請求書、並びに、サマリを作成すると、プリンタ１７を制御し、第１及び第２の請求書、並びに、サマリを印刷させる。このとき、信号処理回路１１は、サマリ、第１の請求書、第２の請求書の順番でサマリ、第１及び第２の請求書を印刷するように、プリンタ１７を制御してもよい。具体的には、信号処理回路１１は、まず、サマリを裏面が上面を向くように印刷する。続いて、信号処理回路１１は、第１の請求書を、先に印刷したサマリに重ね、かつ、裏面が上面を向くように印刷する。続いて、信号処理回路１１は、第２の請求書を、先に印刷した第１の請求書に重ね、かつ、裏面が上面を向くように印刷する。これにより、サマリ、第１の請求書及び第２の請求書の表面をサマリ、第１の請求書、第２の請求書の順で連続して視認可能なように、サマリ、第１の請求書及び第２の請求書が印刷されることになる。印刷の順序を制御することで、第１及び第２の請求書、並びに、サマリを、印刷した順番で封筒に入れればよいため、印刷後の並べ替えが不要となる。すなわち、第１及び第２の請求書、並びに、サマリを封筒に入れる作業がより軽減されることになる。
【００３８】
信号処理回路１１は、患者１人分の第１及び第２の請求書、並びに、サマリの印刷が完了すると、次の患者の第１及び第２の請求書、並びに、サマリを作成する処理に移る。書類を作成する患者の順序は、患者ＩＤの順序に従ってもよいし、予め登録されている順序に従ってもよい。予め登録されている順序に関する情報は、例えば、患者基本情報２１に記憶される。予め登録されている順序とは、例えば、患者を訪問する順序等である。患者についての請求書を、訪問する順序に従って印刷することで、発行した請求書を並び替える必要がなくなるため、作業がより軽減されることになる。
【００３９】
図５は、図２に示される請求書発行機能１１３のアルゴリズムを説明するフローチャートの例を示す図である。信号処理回路１１は、記憶回路１５から請求書発行機能１１３に対応するプログラムを読み出し、図５に示されるフローチャートの各ステップを実行することで、請求書発行機能１１３を実現する。なお、図５は、「発行区分」が「患者全て」と指定され、「出力対象」に「サマリ」、「介護」及び「医保」が選択される場合における信号処理回路１１の動作を示す。
【００４０】
信号処理回路１１は、例えば、図３に示される入力画面に表示される各種項目への選択が終了し、「完了」が押されると、請求書発行機能１１３を開始する。まず、信号処理回路１１は、最初の患者ＩＤを設定する（ステップＳ５１）。
【００４１】
信号処理回路１１は、サーバ２０に対し、指定される月について、設定された患者ＩＤと関連付けられた情報を要求する（ステップＳ５２）。
【００４２】
信号処理回路１１は、設定された患者ＩＤと関連付けられた、介護サービスの請求に関する情報が存在するか否かを判断する（ステップＳ５３）。設定された患者ＩＤと関連付けられた、介護サービスの請求に関する情報が存在する場合（ステップＳ５３のＹｅｓ）、信号処理回路１１は、設定された患者ＩＤと関連付けられた、医療サービスの請求に関する情報が存在するか否かを判断する（ステップＳ５４）。また、設定された患者ＩＤと関連付けられた、介護サービスの請求に関する情報が存在しない場合（ステップＳ５３のＮｏ）、信号処理回路１１は、設定された患者ＩＤと関連付けられた、医療サービスの請求に関する情報が存在するか否かを判断する（ステップＳ５５）。
【００４３】
ステップＳ５４において、設定された患者ＩＤと関連付けられた、医療サービスの請求に関する情報が存在する場合（ステップＳ５４のＹｅｓ）、信号処理回路１１は、医療サービスの請求に関する情報に基づいて医療サービスについての第１の請求書を作成する。また、信号処理回路１１は、介護サービスの請求に関する情報に基づいて介護サービスについての第２の請求書を作成する。また、信号処理回路１１は、作成した第１及び第２の請求書と、設定された患者ＩＤと関連付けられた請求書の宛名及び請求書の宛先とから、サマリを作成する（ステップＳ５６）。図６は、患者基本情報２１に記憶される請求書の宛名及び請求書の宛先の例を示す図である。信号処理回路１１は、このように記憶される宛名及び宛先を用い、図７に示すサマリを作成する。図７に示されるサマリにおいて、宛先、宛名及び患者氏名が記載される四角で囲まれる領域７１は、封筒に設けられる窓の位置と対応する。これにより、サマリを封筒に入れた場合、宛先、宛名及び患者氏名を、封筒の外から窓を通して視認可能とある。つまり、宛先及び宛名を別途作成する必要がなくなる。
【００４４】
信号処理回路１１は、作成した第１及び第２の請求書、並びに、サマリを印刷するようにプリンタ１７を制御する（ステップＳ５７）。信号処理回路１１は、印刷が完了すると、次の患者ＩＤを設定し（ステップＳ５８）、処理をステップＳ５２へ移行する。
【００４５】
ステップＳ５４において、設定された患者ＩＤと関連付けられた、医療サービスの請求に関する情報が存在しない場合（ステップＳ５４のＮｏ）、信号処理回路１１は、介護サービスの請求に関する情報に基づいて介護サービスについての第２の請求書を作成する。また、信号処理回路１１は、作成した第２の請求書と、設定された患者ＩＤと関連付けられた請求書の宛名及び請求書の宛先とから、サマリを作成する（ステップＳ５９）。信号処理回路１１は、作成した第２の請求書、及び、サマリを印刷するようにプリンタ１７を制御する（ステップＳ５１０）。信号処理回路１１は、印刷が完了すると、処理をステップＳ５８へ移行する。
【００４６】
ステップＳ５５において、設定された患者ＩＤと関連付けられた、医療サービスの請求に関する情報が存在する場合（ステップＳ５５のＹｅｓ）、信号処理回路１１は、医療サービスの請求に関する情報に基づいて医療サービスについての第１の請求書を作成する。また、信号処理回路１１は、作成した第１の請求書と、設定された患者ＩＤと関連付けられた請求書の宛名及び請求書の宛先とから、サマリを作成する（ステップＳ５１１）。信号処理回路１１は、作成した第１の請求書、及び、サマリを印刷するようにプリンタ１７を制御する（ステップＳ５１２）。信号処理回路１１は、印刷が完了すると、処理をステップＳ５８へ移行する。
【００４７】
図８は、図５に示されるフローチャートに従って患者毎に発行される書類を模式的に表す図である。図８の説明では、患者Ａについて医療サービスの請求に関する情報及び介護サービスの請求に関する情報がサーバ２０に存在し、患者Ｂについて介護サービスの請求に関する情報がサーバ２０に存在し、患者Ｃについて医療サービスの請求に関する情報がサーバ２０に存在し、患者Ｄについて介護サービスの請求に関する情報がサーバ２０に存在するものとする。また、図８の説明では、患者Ａ、患者Ｂ、患者Ｃ、患者Ｄの順番で書類が発行されるものとする。また、図８の説明では、患者Ｄについては、患者と請求先が異なるものとする。
【００４８】
まず、信号処理回路１１は、ステップＳ５１〜ステップＳ５４，ステップＳ５６，ステップＳ５７を介し、患者Ａについて第１及び第２の請求書、並びに、サマリを印刷する。信号処理回路１１は、ステップＳ５８において、次の患者である患者Ｂの患者ＩＤを設定する。信号処理回路１１は、ステップＳ５２〜ステップＳ５４，ステップＳ５９，ステップＳ５１０を介し、患者Ｂについて第２の請求書及びサマリを印刷する。
【００４９】
信号処理回路１１は、ステップＳ５８において、次の患者である患者Ｃの患者ＩＤを設定する。信号処理回路１１は、ステップＳ５２，ステップＳ５３，ステップＳ５５，ステップＳ５１１，ステップＳ５１２を介し、患者Ｃについて第１の請求書及びサマリを印刷する。信号処理回路１１は、ステップＳ５８において、次の患者である患者Ｄの患者ＩＤを設定する。信号処理回路１１は、ステップＳ５２〜ステップＳ５４，ステップＳ５９，ステップＳ５１０を介し、患者Ｄについて第２の請求書及びサマリを印刷する。このとき、患者Ｄのサマリについては、患者基本情報２１に記憶される請求書の宛名及び請求書の宛先を参照し、請求先にＥが印字される。なお、医療サービスの請求に関する情報及び介護サービスの請求に関する情報の両方が記憶されていない患者に対しては、サマリは印刷されない。
【００５０】
以上のように、本実施形態では、請求書発行装置１０は、対象となる患者ＩＤを設定し、設定した患者ＩＤについて、医療保険の適用対象となる医療サービスについての第１の請求書と、介護保険の適用対象となる介護サービスについての第２の請求書とを印刷する。そして、請求書発行装置１０は、第１及び第２の請求書を印刷すると、次の患者ＩＤについて第１及び第２の請求書を印刷するようにしている。これにより、患者毎に第１及び第２の請求書が発行されることとなる。このため、第１及び第２の請求書に記載される患者名を突合わせる必要がなくなる。
【００５１】
したがって、本実施形態によれば、医事会計／電子カルテシステムにおいて、担当者の負担を軽減しつつ、医療サービスについての請求書と、介護サービスについての請求書とを患者毎にまとめることができる。
【００５２】
また、本実施形態では、請求書発行装置１０は、設定した患者ＩＤに対して作成した第１及び第２の請求書に基づき、サマリを作成するようにしている。サマリには、第１の請求書に記載される請求額と、第２の請求書に記載される請求額との合計額が印字される。これにより、担当者が第１の請求書に記載される請求額と、第２の請求書に記載される請求額とから合計額を計算する手間が省ける。
【００５３】
また、請求書発行装置１０は、患者基本情報２１に記憶される請求書の宛先及び宛名を参照し、サマリに請求書の請求先を印字するようにしている。
【００５４】
苗字が異なる親戚が、請求された金額を支払う場合がある。従来では、このような場合に対応するため、請求先の氏名と患者名とが異なる患者を、台帳等を用いて管理している。そして、請求先の氏名と患者名とが異なる患者についての請求書を作成する際、担当者は、請求書の宛名が正しく印字されているかを確認しなければならなかった。
【００５５】
一方、本実施形態では、請求書発行装置１０は、患者基本情報２１を参照し、サマリに請求書の請求先を印字するため、患者と請求先とが異なる場合に自動的に対応することが可能となる。これにより、担当者の確認作業をより軽減することが可能となる。
【００５６】
なお、本実施形態では、病院に請求書発行装置１０が設けられる場合を例に説明した。しかしながら、これに限定されない。請求書発行装置１０は、病院以外、例えば、診療所等に設けられてもよい。
【００５７】
また、図１では、医事会計／電子カルテシステム１に、１つの病院及び１つの介護施設が含まれる場合を例に説明した。しかしながら、これに限定されない。医事会計／電子カルテシステム１に含まれる施設は、これらの以外の複数の施設が含まれていても構わない。
【００５８】
また、図１では、各施設に１台のクライアント端末が配置される場合を例に説明した。しかしながら、これに限定されない。各施設に配置されるクライアント端末の台数は２台以上であっても構わない。
【００５９】
また、本実施形態では、図３及び図４に示される「出力対象」における「サマリ」、「介護」及び「医保」の項目が選択される場合を例に説明した。しかしながら、これに限定されない。「出力対象」については、「サマリ」、「介護」、「医保」、「サマリ」及び「介護」、又は、「サマリ」及び「医保」が選択されてもよい。信号処理回路１１は、選択された項目に応じた書類を発行する。さらに、「出力対象」から所定の項目を外した場合、外した項目の請求に関する情報のみしかない患者についてはサマリが印刷されなくなるようにしてもよい。例えば、「出力対象」から「介護」を外した際に、介護サービスの請求に関する情報しかない患者、言い換えると、医療サービスの請求に関する情報がない患者については、サマリは印刷されない。このように、印刷する書類を制限することで、紙の消費量を抑えることが可能となる。
【００６０】
上記説明において用いた「プロセッサ」という文言は、例えば、ＣＰＵ（central processing unit）、ＧＰＵ（Graphics Processing Unit）、特定用途向け集積回路（Application Specific Integrated Circuit：ＡＳＩＣ）、及び、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及び、フィールドプログラマブルゲートアレイ（Field Programmable Gate Array：ＦＰＧＡ））等の回路を意味する。プロセッサは記憶回路１５に保存されたプログラムを読み出し実行することで機能を実現する。なお、記憶回路１５にプログラムを保存する代わりに、プロセッサの回路内にプログラムを直接組み込むよう構成しても構わない。この場合、プロセッサは回路内に組み込まれた
プログラムを読み出し実行することで機能を実現する。なお、本実施形態のプロセッサは、１つのプロセッサとして構成される場合に限らず、複数の独立した回路を組み合わせて、その機能を実現するようにしてもよい。
【００６１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００６２】
１…医事会計／電子カルテシステム、１０…請求書発行装置、１１…信号処理回路、１１１…表示制御機能、１１２…通信制御機能、１１３…請求書発行機能、１２…通信インタフェース回路、１３…入力インタフェース回路、１４…出力インタフェース回路、１５…記憶回路、１６…表示回路、１７…プリンタ、２０…サーバ、２１…患者基本情報、２２…医療サービス請求情報、２３…介護サービス請求情報、２４…パラメータ情報、３０，４０…クライアント端末
【図１】
0006747788.tif 000002
【図２】
0006747788.tif 000003
【図３】
0006747788.tif 000004
【図４】
0006747788.tif 000005
【図５】
0006747788.tif 000006
【図６】
0006747788.tif 000007
【図７】
0006747788.tif 000008
【図８】
0006747788.tif 000009